【手続補正書】
【提出日】令和3年5月18日(2021.5.18)
【手続補正１】
【補正対象書類名】特許請求の範囲
【補正対象項目名】全文
【補正方法】変更
【補正の内容】
【特許請求の範囲】
【請求項１】
プラントの性能と一つまたは複数のパラメータとの関係を示す関数に基づいて、前記パラメータの各々が所定の値をとるときの前記性能を示す点を、前記関数が示す多次元曲面に沿って、前記パラメータの少なくとも一つが所定の基準値となるように移動させることによって、当該パラメータが前記基準値となったときの前記性能を算出する性能評価部、  を備え、
前記性能評価部は、前記プラントから収集した運転データに含まれる制御できない要因である所与要因パラメータについて、複数の前記所与要因パラメータを含む第１所与要因パラメータ群と、前記第１所与要因パラメータ群と前記性能との関係を示す第１関数と、に基づいて、前記第１所与要因パラメータ群の各パラメータの値を前記基準値としたときの前記性能を示す第１性能値を算出し、
さらに前記第１所与要因パラメータ群のうち、所定のパラメータを除外した第２所与要因パラメータ群について、前記第２所与要因パラメータ群と、前記第２所与要因パラメータ群と前記性能との関係を示す第２関数と、に基づいて、前記第２所与要因パラメータ群の各パラメータの値を前記基準値としたときの前記性能を示す第２性能値を算出し、
前記第１性能値と前記第２性能値の差分を算出して、前記第１所与要因パラメータ群から除外した前記パラメータが前記性能へ与える影響の大きさを算出する、
性能評価装置。
【請求項２】
前記性能評価部は、前記運転データに含まれる制御可能な要因である制御要因パラメータのうち、その影響度を評価する一つまたは複数の保守パラメータを前記第１所与要因パラメータ群に加えた第３パラメータ群について、前記第３パラメータ群と、前記第３パラメータ群と前記性能との関係を示す第３関数と、に基づいて、前記第３パラメータ群の各パラメータの値を前記基準値としたときの前記性能を示す第３性能値を算出する、
請求項１に記載の性能評価装置。
【請求項３】
前記運転データを取得する運転データ取得部と、
前記運転データに含まれるパラメータについての設定を受け付ける設定受付部と、
前記運転データに含まれる複数の前記パラメータと前記性能との関係を示す関数を生成する関数生成部と、
をさらに備え、
前記設定受付部は、前記運転データに含まれる前記所与要因パラメータの選択を受け付け、第１所与要因パラメータ群を形成し、
前記関数生成部は、前記運転データに含まれる前記性能と前記第１所与要因パラメータ群の各パラメータとの関係を示す第１関数を生成し、
前記性能評価部は、前記第１関数に基づいて前記第１所与要因パラメータ群の各パラメータの値をそれぞれの基準値とすることにより前記第１所与要因パラメータ群の各パラメータの影響を除外した第１性能値を算出し、
前記設定受付部は、前記第１所与要因パラメータ群のうち、機器の劣化の影響を受けるパラメータの設定を受け付け、当該パラメータを除外して第２所与要因パラメータ群を形成し、前記関数生成部は、前記運転データに含まれる前記性能と前記第２所与要因パラメータ群の各パラメータとの関係を示す第２関数を生成し、
前記性能評価部は、前記第２関数に基づいて前記第２所与要因パラメータ群の各パラメータの値をそれぞれの基準値とすることにより前記第２所与要因パラメータ群の各パラメータの影響を除外した第２性能値を算出し、
前記性能評価部において、前記第１性能値と前記第２性能値の差分を算出し、前記機器の劣化量をさらに算出する、
請求項１に記載の性能評価装置。
【請求項４】
前記運転データを取得する運転データ取得部と、前記運転データに含まれるパラメータについての設定を受け付ける設定受付部と、
前記運転データに含まれる複数の前記パラメータと前記性能との関係を示す関数を生成する関数生成部と、
をさらに備え、
前記設定受付部は、前記運転データに含まれる前記所与要因パラメータの選択を受け付け、第１所与要因パラメータ群を形成し、
前記関数生成部は、前記運転データに含まれる前記性能と前記第１所与要因パラメータ群の各パラメータとの関係を示す第１関数を生成し、
前記性能評価部は、前記第１関数に基づいて前記第１所与要因パラメータ群の各パラメータの値をそれぞれの基準値とすることにより前記第１所与要因パラメータ群の各パラメータの影響を除外した第１性能値を算出し、
前記設定受付部は、前記運転データに含まれる制御可能な要因である制御要因パラメータのうち、その影響度を評価する一つまたは複数の保守パラメータの設定を受け付け、  前記関数生成部は、前記第１所与要因パラメータ群に前記保守パラメータを加えた複数のパラメータと前記性能との関係を示す第３関数を生成し、
前記性能評価部は、前記第３関数に基づいて前記第１所与要因パラメータ群の各パラメータに前記保守パラメータを加えた前記複数のパラメータの値をそれぞれの基準値とすることにより前記複数のパラメータの影響を除外した第３性能値を算出する、
請求項２に記載の性能評価装置。
【請求項５】
前記性能評価部が算出した前記所与要因パラメータの影響を除外した後の性能値を出力する性能出力部、
をさらに備える請求項３に記載の性能評価装置。
【請求項６】
前記性能評価部は、前記第１関数に基づいて算出した前記第１所与要因パラメータ群の各パラメータの影響を除外した前記第１性能値と、前記第３関数に基づいて算出した前記第１所与要因パラメータ群の各パラメータの影響および前記保守パラメータの影響を除外した前記第３性能値との差に基づいて、前記保守パラメータの前記性能に対する影響の大きさを算出する、
請求項４に記載の性能評価装置。
【請求項７】
前記性能評価部は、所定の期間における前記第１関数に基づく前記第１性能値の第１変化量が、当該期間における前記第３関数に基づく前記第３性能値の第２変化量より大きい場合、前記第１変化量から前記第２変化量を減じた値に基づいて、前記保守パラメータの影響度を算出する、
請求項６に記載の性能評価装置。
【請求項８】
前記保守パラメータに対応する改善策と、前記保守パラメータの影響度に基づく前記改善策の効果を出力する効果出力部、
をさらに備える請求項７に記載の性能評価装置。
【請求項９】
プラントの性能と一つまたは複数のパラメータとの関係を示す関数に基づいて、前記パラメータの各々が所定の値をとるときの前記性能を示す点を、前記関数が示す多次元曲面に沿って、前記パラメータの少なくとも一つが所定の基準値となるように移動させることによって、当該パラメータが前記基準値となったときの前記性能を算出し、前記プラントから収集した運転データに含まれる制御できない要因である所与要因パラメータとそれに対応する前記性能を示す点を、前記所与要因パラメータの少なくとも一つが所定の基準値となるように移動させることによって、当該所与要因パラメータの前記基準値に基づいて標準化した前記性能を算出する性能評価部と、
前記運転データを取得する運転データ取得部と、
前記運転データに含まれるパラメータについての設定を受け付ける設定受付部と、
前記運転データに含まれる複数の前記パラメータと前記性能との関係を示す関数を生成する関数生成部と、
を備え、
前記設定受付部は、前記運転データに含まれる前記所与要因パラメータの選択を受け付け、第１所与要因パラメータ群を形成し、
前記関数生成部は、前記運転データに含まれる前記性能と前記第１所与要因パラメータ群の各パラメータとの関係を示す第１関数を生成し、
前記性能評価部は、前記第１関数に基づいて前記第１所与要因パラメータ群の各パラメータの値をそれぞれの基準値とすることにより前記第１所与要因パラメータ群の各パラメータの影響を除外した第１性能値を算出し、
前記設定受付部は、前記運転データに含まれる制御可能な要因である制御要因パラメータのうち、その影響度を評価する一つまたは複数の保守パラメータの設定を受け付け、
前記関数生成部は、前記第１所与要因パラメータ群に前記保守パラメータを加えた複数のパラメータと前記性能との関係を示す第３関数を生成し、
前記性能評価部は、前記第３関数に基づいて前記第１所与要因パラメータ群の各パラメータに前記保守パラメータを加えた前記複数のパラメータの値をそれぞれの基準値とすることにより前記複数のパラメータの影響を除外した第３性能値を算出する、
性能評価装置。
【請求項１０】
プラントの性能と一つまたは複数のパラメータとの関係を示す関数に基づいて、前記パラメータの各々が所定の値をとるときの前記性能を示す点を、前記関数が示す多次元曲面に沿って、前記パラメータの少なくとも一つが所定の基準値となるように移動させることによって、当該パラメータが前記基準値となったときの前記性能を算出する処理により、
前記プラントから収集した運転データに含まれる制御できない要因である所与要因パラメータについて、複数の前記所与要因パラメータを含む第１所与要因パラメータ群と、前記第１所与要因パラメータ群と前記性能との関係を示す第１関数と、に基づいて、前記第１所与要因パラメータ群の各パラメータの値を前記基準値としたときの前記性能を示す第１性能値を算出し、
さらに前記第１所与要因パラメータ群のうち、所定のパラメータを除外した第２所与要因パラメータ群について、前記第２所与要因パラメータ群と、前記第２所与要因パラメータ群と前記性能との関係を示す第２関数と、に基づいて、前記第２所与要因パラメータ群の各パラメータの値を前記基準値としたときの前記性能を示す第２性能値を算出し、
前記第１性能値と前記第２性能値の差分を算出して、前記第１所与要因パラメータ群から除外した前記パラメータが前記性能へ与える影響の大きさを算出する、
性能評価方法。
【請求項１１】
前記性能を算出する処理により、前記運転データに含まれる制御可能な要因である制御要因パラメータのうち、その影響度を評価する一つまたは複数の保守パラメータを前記第１所与要因パラメータ群に加えた第３パラメータ群について、前記第３パラメータ群と、前記第３パラメータ群と前記性能との関係を示す第３関数と、に基づいて、前記第３パラメータ群の各パラメータの値を前記基準値としたときの前記性能を示す第３性能値をさらに算出する、
請求項１０に記載の性能評価方法。
【請求項１２】
請求項１１の性能評価方法によって算出した前記第１性能値および前記第３性能値の差に基づく前記保守パラメータの影響度とともに前記保守パラメータの前記性能に対する影響を改善する改善策の情報を出力する、
性能影響度出力方法。
【請求項１３】
プラントの状態を示す複数のパラメータと性能の情報を含む運転データを取得するステップと、
前記パラメータに含まれる制御できない要因である所与要因パラメータの選択を受け付け、第１所与要因パラメータ群を形成するステップと、
前記運転データに含まれる前記性能と前記第１所与要因パラメータ群の各パラメータとの関係を示す第１関数を生成するステップと、
前記第１関数に基づいて前記第１所与要因パラメータ群の各パラメータの値をそれぞれの基準値とすることにより前記第１所与要因パラメータ群の各パラメータの影響を除外した第１性能値を算出するステップと、
前記運転データに含まれる制御可能な要因である制御要因パラメータのうち、その影響度を評価する一つまたは複数の保守パラメータの設定を受け付けるステップと、
前記第１所与要因パラメータ群に前記保守パラメータを加えた複数のパラメータと前記性能との関係を示す第３関数を生成するステップと、
前記第３関数に基づいて前記第１所与要因パラメータ群に前記保守パラメータを加えた前記複数のパラメータの値をそれぞれの基準値とすることにより前記複数のパラメータの影響を除外した第３性能値を算出するステップと、
を有する性能評価方法。
【手続補正２】
【補正対象書類名】明細書
【補正対象項目名】０００７
【補正方法】変更
【補正の内容】
【０００７】
本発明の一態様によれば、性能評価装置は、プラントの性能と一つまたは複数のパラメータとの関係を示す関数に基づいて、前記パラメータの各々が所定の値をとるときの前記性能を示す点を、前記関数が示す多次元曲面に沿って、前記パラメータの少なくとも一つが所定の基準値となるように移動させることによって、当該パラメータが前記基準値となったときの前記性能を算出する性能評価部、を備え、前記性能評価部は、前記プラントから収集した運転データに含まれる制御できない要因である所与要因パラメータについて、複数の前記所与要因パラメータを含む第１所与要因パラメータ群と、前記第１所与要因パラメータ群と前記性能との関係を示す第１関数と、に基づいて、前記第１所与要因パラメータ群の各パラメータの値を前記基準値としたときの前記性能を示す第１性能値を算出し、さらに前記第１所与要因パラメータ群のうち、所定のパラメータを除外した第２所与要因パラメータ群について、前記第２所与要因パラメータ群と、前記第２所与要因パラメータ群と前記性能との関係を示す第２関数と、に基づいて、前記第２所与要因パラメータ群の各パラメータの値を前記基準値としたときの前記性能を示す第２性能値を算出し、前記第１性能値と前記第２性能値の差分を算出して、前記第１所与要因パラメータ群から除外した前記パラメータが前記性能へ与える影響の大きさを算出する。
【手続補正３】
【補正対象書類名】明細書
【補正対象項目名】０００８
【補正方法】変更
【補正の内容】
【０００８】
本発明の一態様によれば、前記性能評価部は、前記運転データに含まれる制御可能な要因である制御要因パラメータのうち、その影響度を評価する一つまたは複数の保守パラメータを前記第１所与要因パラメータ群に加えた第３パラメータ群について、前記第３パラメータ群と、前記第３パラメータ群と前記性能との関係を示す第３関数と、に基づいて、前記第３パラメータ群の各パラメータの値を前記基準値としたときの前記性能を示す第３性能値を算出する。
【手続補正４】
【補正対象書類名】明細書
【補正対象項目名】０００９
【補正方法】変更
【補正の内容】
【０００９】
本発明の一態様によれば、前記性能評価装置は、前記運転データを取得する運転データ取得部と、前記運転データに含まれるパラメータについての設定を受け付ける設定受付部と、前記運転データに含まれる複数の前記パラメータと前記性能との関係を示す関数を生成する関数生成部と、をさらに備え、前記設定受付部は、前記運転データに含まれる前記所与要因パラメータの選択を受け付け、第１所与要因パラメータ群を形成し、前記関数生成部は、前記運転データに含まれる前記性能と前記第１所与要因パラメータ群の各パラメータとの関係を示す第１関数を生成し、前記性能評価部は、前記第１関数に基づいて前記第１所与要因パラメータ群の各パラメータの値をそれぞれの基準値とすることにより前記第１所与要因パラメータ群の各パラメータの影響を除外した第１性能値を算出し、前記設定受付部は、前記第１所与要因パラメータ群のうち、機器の劣化の影響を受けるパラメータの設定を受け付け、当該パラメータを除外して第２所与要因パラメータ群を形成し、前記関数生成部は、前記運転データに含まれる前記性能と前記第２所与要因パラメータ群の各パラメータとの関係を示す第２関数を生成し、前記性能評価部は、前記第２関数に基づいて前記第２所与要因パラメータ群の各パラメータの値をそれぞれの基準値とすることにより前記第２所与要因パラメータ群の各パラメータの影響を除外した第２性能値を算出し、前記性能評価部において、前記第１性能値と前記第２性能値の差分を算出し、前記機器の劣化量をさらに算出する。
【手続補正５】
【補正対象書類名】明細書
【補正対象項目名】００１０
【補正方法】変更
【補正の内容】
【００１０】
本発明の一態様によれば、前記運転データを取得する運転データ取得部と、前記運転データに含まれるパラメータについての設定を受け付ける設定受付部と、前記運転データに含まれる複数の前記パラメータと前記性能との関係を示す関数を生成する関数生成部と、をさらに備え、前記設定受付部は、前記運転データに含まれる前記所与要因パラメータの選択を受け付け、第１所与要因パラメータ群を形成し、前記関数生成部は、前記運転データに含まれる前記性能と前記第１所与要因パラメータ群の各パラメータとの関係を示す第１関数を生成し、前記性能評価部は、前記第１関数に基づいて前記第１所与要因パラメータ群の各パラメータの値をそれぞれの基準値とすることにより前記第１所与要因パラメータ群の各パラメータの影響を除外した第１性能値を算出し、前記設定受付部は、前記運転データに含まれる制御可能な要因である制御要因パラメータのうち、その影響度を評価する一つまたは複数の保守パラメータの設定を受け付け、前記関数生成部は、前記第１所与要因パラメータ群に前記保守パラメータを加えた複数のパラメータと前記性能との関係を示す第３関数を生成し、前記性能評価部は、前記第３関数に基づいて前記第１所与要因パラメータ群の各パラメータに前記保守パラメータを加えた前記複数のパラメータの値をそれぞれの基準値とすることにより前記複数のパラメータの影響を除外した第３性能値を算出する。
【手続補正６】
【補正対象書類名】明細書
【補正対象項目名】００１１
【補正方法】変更
【補正の内容】
【００１１】
本発明の一態様によれば、前記性能評価装置は、前記性能評価部が算出した前記所与要因パラメータの影響を除外した後の性能値を出力する性能出力部をさらに備える。
【手続補正７】
【補正対象書類名】明細書
【補正対象項目名】００１２
【補正方法】変更
【補正の内容】
【００１２】
本発明の一態様によれば、前記性能評価部は、前記第１関数に基づいて算出した前記第１所与要因パラメータ群の各パラメータの影響を除外した前記第１性能値と、前記第３関数に基づいて算出した前記第１所与要因パラメータ群の各パラメータの影響および前記保守パラメータの影響を除外した前記第３性能値との差に基づいて、前記保守パラメータの前記性能に対する影響の大きさを算出する。
【手続補正８】
【補正対象書類名】明細書
【補正対象項目名】００１３
【補正方法】変更
【補正の内容】
【００１３】
本発明の一態様によれば、前記性能評価部は、所定の期間における前記第１関数に基づく前記性能値の第１変化量が、当該期間における前記第３関数に基づく前記性能値の第２変化量より大きい場合、前記第１変化量から前記第２変化量を減じた値に基づいて、前記保守パラメータの影響度を算出する。
【手続補正９】
【補正対象書類名】明細書
【補正対象項目名】００１４
【補正方法】変更
【補正の内容】
【００１４】
本発明の一態様によれば、前記保守パラメータに対応する改善策と、前記保守パラメータの影響度に基づく前記改善策の効果を出力する効果出力部をさらに備える。
【手続補正１０】
【補正対象書類名】明細書
【補正対象項目名】００１５
【補正方法】変更
【補正の内容】
【００１５】
本発明の一態様によれば、性能評価装置は、プラントの性能と一つまたは複数のパラメータとの関係を示す関数に基づいて、前記パラメータの各々が所定の値をとるときの前記性能を示す点を、前記関数が示す多次元曲面に沿って、前記パラメータの少なくとも一つが所定の基準値となるように移動させることによって、当該パラメータが前記基準値となったときの前記性能を算出し、前記プラントから収集した運転データに含まれる制御できない要因である所与要因パラメータとそれに対応する前記性能を示す点を、前記所与要因パラメータの少なくとも一つが所定の基準値となるように移動させることによって、当該所与要因パラメータの前記基準値に基づいて標準化した前記性能を算出する性能評価部と、前記運転データを取得する運転データ取得部と、前記運転データに含まれるパラメータについての設定を受け付ける設定受付部と、前記運転データに含まれる複数の前記パラメータと前記性能との関係を示す関数を生成する関数生成部と、を備え、前記設定受付部は、前記運転データに含まれる前記所与要因パラメータの選択を受け付け、第１所与要因パラメータ群を形成し、前記関数生成部は、前記運転データに含まれる前記性能と前記第１所与要因パラメータ群の各パラメータとの関係を示す第１関数を生成し、前記性能評価部は、前記第１関数に基づいて前記第１所与要因パラメータ群の各パラメータの値をそれぞれの基準値とすることにより前記第１所与要因パラメータ群の各パラメータの影響を除外した第１性能値を算出し、前記設定受付部は、前記運転データに含まれる制御可能な要因である制御要因パラメータのうち、その影響度を評価する一つまたは複数の保守パラメータの設定を受け付け、前記関数生成部は、前記第１所与要因パラメータ群に前記保守パラメータを加えた複数のパラメータと前記性能との関係を示す第３関数を生成し、前記性能評価部は、前記第３関数に基づいて前記第１所与要因パラメータ群の各パラメータに前記保守パラメータを加えた前記複数のパラメータの値をそれぞれの基準値とすることにより前記複数のパラメータの影響を除外した第３性能値を算出する。
【手続補正１１】
【補正対象書類名】明細書
【補正対象項目名】００１６
【補正方法】変更
【補正の内容】
【００１６】
本発明の一態様によれば、性能評価方法は、プラントの性能と一つまたは複数のパラメータとの関係を示す関数に基づいて、前記パラメータの各々が所定の値をとるときの前記性能を示す点を、前記関数が示す多次元曲面に沿って、前記パラメータの少なくとも一つが所定の基準値となるように移動させることによって、当該パラメータが前記基準値となったときの前記性能を算出する処理により、前記プラントから収集した運転データに含まれる制御できない要因である所与要因パラメータについて、複数の前記所与要因パラメータを含む第１所与要因パラメータ群と、前記第１所与要因パラメータ群と前記性能との関係を示す第１関数と、に基づいて、前記第１所与要因パラメータ群の各パラメータの値を前記基準値としたときの前記性能を示す第１性能値を算出し、さらに前記第１所与要因パラメータ群のうち、所定のパラメータを除外した第２所与要因パラメータ群について、前記第２所与要因パラメータ群と、前記第２所与要因パラメータ群と前記性能との関係を示す第２関数と、に基づいて、前記第２所与要因パラメータ群の各パラメータの値を前記基準値としたときの前記性能を示す第２性能値を算出し、前記第１性能値と前記第２性能値の差分を算出して、前記第１所与要因パラメータ群から除外した前記パラメータが前記性能へ与える影響の大きさを算出する。
【手続補正１２】
【補正対象書類名】明細書
【補正対象項目名】００１７
【補正方法】変更
【補正の内容】
【００１７】
本発明の一態様によれば、前記性能を算出する処理により、前記運転データに含まれる制御可能な要因である制御要因パラメータのうち、その影響度を評価する一つまたは複数の保守パラメータを前記第１所与要因パラメータ群に加えた第３パラメータ群について、前記第３パラメータ群と、前記第３パラメータ群と前記性能との関係を示す第３関数と、に基づいて、前記第３パラメータ群の各パラメータの値を前記基準値としたときの前記性能を示す第３性能値をさらに算出する。
【手続補正１３】
【補正対象書類名】明細書
【補正対象項目名】００１８
【補正方法】変更
【補正の内容】
【００１８】
本発明の一態様によれば、上記の性能評価方法によって算出した前記第１性能値および前記第３性能値の差に基づく前記保守パラメータの影響度とともに前記保守パラメータの前記性能に対する影響を改善する改善策の情報を出力する。
【手続補正１４】
【補正対象書類名】明細書
【補正対象項目名】００１９
【補正方法】変更
【補正の内容】
【００１９】
本発明の一態様によれば、性能影響度出力方法は、プラントの状態を示す複数のパラメータと性能の情報を含む運転データを取得するステップと、前記パラメータに含まれる制御できない要因である所与要因パラメータの選択を受け付け、第１所与要因パラメータ群を形成するステップと、前記運転データに含まれる前記性能と前記第１所与要因パラメータ群の各パラメータとの関係を示す第１関数を生成するステップと、前記第１関数に基づいて前記第１所与要因パラメータ群の各パラメータの値をそれぞれの基準値とすることにより前記第１所与要因パラメータ群の各パラメータの影響を除外した第１性能値を算出するステップと、前記運転データに含まれる制御可能な要因である制御要因パラメータのうち、その影響度を評価する一つまたは複数の保守パラメータの設定を受け付けるステップと、前記第１所与要因パラメータ群に前記保守パラメータを加えた複数のパラメータと前記性能との関係を示す第３関数を生成するステップと、前記第３関数に基づいて前記第１所与要因パラメータ群に前記保守パラメータを加えた前記複数のパラメータの値をそれぞれの基準値とすることにより前記複数のパラメータの影響を除外した第３性能値を算出するステップと、を有する。